(57)【要約】      （修正有）【課題】生化学検査と、血液検査又は免疫検査とを１つのフラットホームで同時に行うマルチシステムを提供する。【解決手段】マルチディスク(1)の上部カバーには、回転中心と隣接する位置に、第１の血液投入口と第２の血液投入口とが設けられ、枠側には、複数の試薬投入口が弧状に分布して形成され、反応チャンバプレートは、血清の生化学成分の濃度を測定して、生体機能を診断する生化学検査部(100)と、血液サンプルを分離して、赤血球や白血球の数及び変形を測定検査する血液検査部(200)と、血清の抗原抗体反応を測定して、癌やウイルスを診断し、検査を行う免疫検査部(300)とを備えることを特徴とする、生化学検査と血液検査を同時に行うマルチシステム。【選択図】図２
2020169971.tif 000002
【特許請求の範囲】
【請求項１】
生化学検査部(100)と血液検査部(200)とが回転中心を基準に、扇状に画成して設けられるマルチディスク(1)を含むことを特徴とする生化学検査と血液検査を同時に行うマルチシステム。
【請求項２】
更に、前記マルチディスク(1)は、免疫検査部(300)を含み、これによって免疫検査も同時に行うことを特徴とする請求項１に記載の生化学検査と血液検査を同時に行うマルチシステム。
【請求項３】
前記マルチディスク(1)は、
上部カバー(10)と、
前記上部カバー(10)に着脱自在に結合されるか、又は一体に形成される反応チャンバプレート(20)とを備えることを特徴とする請求項１に記載の生化学検査と血液検査を同時に行うマルチシステム。
【請求項４】
前記マルチディスク(1)の上部カバー(10)には、回転中心と隣接する位置に、第１の血液投入口(11)と第２の血液投入口(12)とが設けられ、枠側には、複数の試薬投入口(13)が弧状に分布して形成され、
前記反応チャンバプレート(20)は、血清の生化学成分の濃度を測定して、生体機能を診断する生化学検査部(100)と、血液サンプルを分離して、赤血球や白血球の数及び変形を測定検査する血液検査部(200)と、血清の抗原抗体反応を測定して、癌やウイルスを診断し、検査を行う免疫検査部(300)とを備えることを特徴とする請求項３に記載の生化学検査と血液検査を同時に行うマルチシステム。
【請求項５】
前記マルチディスク(1)の生化学検査部(100)は、
血液受付チャンバ(110)と、
前記血液受付チャンバ(110)に連通する血液フィルターチャンバ(120)と、
前記血液フィルターチャンバ(120)と弧状の分配流路で連通する複数の血清分配チャンバ(130)と、
前記複数の血清分配チャンバ(130)に連通する複数の試薬反応チャンバ(140)とを備えることを特徴とする請求項１に記載の生化学検査と血液検査を同時に行うマルチシステム。
【請求項６】
前記血液受付チャンバ(110)は、回転中心と隣接する位置に、回転軸を中心に弧状に形成され、供給された血液サンプルを受付け、
前記血液フィルターチャンバ(120)は、回転中心の回転軸を中心に弧状に形成され、内部にはフィルターが設けられて、移送された血液サンプルをフィルタリングし、
前記複数の血清分配チャンバ(130)は、各血清分配チャンバ(130)の入口が前記弧状の分配流路に開いており、一定量ずつフィルタリングされた血液成分を分配され、各血清分配チャンバ(130)の出口は、対応する各試薬反応チャンバ(140)と流路で連通し、
前記複数の試薬反応チャンバ(140)は、複数のチャンバが枠側に分布して形成され、前記血清分配チャンバ(130)より供給された血液成分と試薬が反応を起こすように設けられることを特徴とする請求項５に記載の生化学検査と血液検査を同時に行うマルチシステム。
【請求項７】
前記血液受付チャンバ(110)と前記血液フィルターチャンバ(120)を連結してくれる流路は、回転遠心力で血液の移送が容易であるように、各チャンバの回転中心から最外郭のライン上に形成されることを特徴とする請求項５に記載の生化学検査と血液検査を同時に行うマルチシステム。
【請求項８】
前記血清分配チャンバ(130)と前記試薬反応チャンバ(140)の連結流路は、回転遠心力で血液の移送が容易であるように、回転方向に対して所定の角度をなすように形成されることを特徴とする請求項５に記載の生化学検査と血液検査を同時に行うマルチシステム。
【請求項９】
前記血液検査部(200)は、
血液サンプルが充填されたチューブを据置く毛細管据置きチャンバ(210)と、
血液サンプルに染色試薬処理して５つの白血球を染色し、白血球を鑑別、係数する染色チャンバ(220)とを備えることを特徴とする請求項１に記載の生化学検査と血液検査を同時に行うマルチシステム。
【請求項１０】
前記免疫検査部(300)は、
別の投入口を介して投入された血液サンプルを遠心分離し、分離された血清だけが供給されるか、又は前記生化学検査部(100)と分配流路で連通して、フィルタリング済みの血液成分である血清だけを供給されることを特徴とする請求項２に記載の生化学検査と血液検査を同時に行うマルチシステム。
【請求項１１】
前記マルチシステムは、更に、
前記マルチディスク(1)に光を照射する照明部(2)と、
前記マルチディスク(1)を撮影するカメラ部(3)と、
前記カメラ部(3)より伝送された資料をディスプレイするディスプレイユニット(4)と、
ＤＢ部(5)とを含むことを特徴とする請求項１に記載の生化学検査と血液検査を同時に行うマルチシステム。
【請求項１２】
前記照明部(2)は、光源(2a)と光フィルター(2b)とからなり、単色光を前記マルチディスク(1)に照射し、
前記カメラ部(3)は、前記マルチディスク(1)の上部に配置され、前記マルチディスク(1)の反応後の吸光度を測定するか、イメージを撮像して、前記ディスプレイユニット(4)に転送し、
前記ディスプレイユニット(4)は、前記カメラ部(3)より伝送された吸光度及びイメージ資料をディスプレイし、
前記ＤＢ部(5)は、前記カメラ部(3)及び前記ディスプレイユニット(4)に連動して、測定された資料を格納し、格納された基準資料と比較した資料を格納することを特徴とする請求項１１に記載の生化学検査と血液検査を同時に行うマルチシステム。
【請求項１３】
血清の生化学成分の濃度を測定して、生体機能を診断する生化学検査部(100)と、
血液サンプルを分離して、赤血球や白血球の数及び変形を測定検査する血液検査部(200)と、
血清の抗原抗体反応を測定して、癌やウイルスを診断して検査を行う免疫検査部(300)とが、回転中心を基準に、扇状に画成して設けられることを特徴とするマルチディスク。
【請求項１４】
前記マルチディスクは、
回転中心と隣接する位置に、第１の血液投入口(11)と第２の血液投入口(12)とが設けられ、枠側には、複数の試薬投入口(13)が弧状に分布して形成される上部カバー(10)と、
前記上部カバー(10)と結合し、血清の生化学成分の濃度を測定して、生体機能を診断する生化学検査部(100)、血液サンプルを分離して、赤血球や白血球の数字及び変形を測定検査する血液検査部(200)、及び血清の抗原抗体反応を測定して、癌やウイルスを診断し、検査を行う免疫検査部(300)を備える反応チャンバプレート(20)とを含むことを特徴とする請求項１３に記載のマルチディスク。
【請求項１５】
前記マルチディスクの生化学検査部(100)は、
前記第１の血液投入口(11)に対応する位置に設けられる血液受付チャンバ(110)と、前記血液受付チャンバ(110)に連通する血液フィルターチャンバ(120)と、前記血液フィルターチャンバ(120)と弧状の分配流路で連通する複数の血清分配チャンバ(130)と、前記複数の血清分配チャンバ(130)に連通し、前記試薬投入口(13)に対応する位置に設けられる複数の試薬反応チャンバ(140)とを備え、
前記マルチディスクの血液検査部(200)は、
血液サンプルが充填されたチューブを据置く毛細管据置きチャンバ(210)と、血液サンプルに染色試薬処理して５つの白血球を染色し、白血球を鑑別、係数する染色チャンバ(220)とを備え、
前記マルチディスクの免疫検査部(300)は、
別の投入口を介して投入された血液サンプルを遠心分離し、分離された血清だけが供給されるか、又は前記生化学検査部(100)と分配流路で連通して、フィルタリング済みの血液成分である血清だけを供給されることを特徴とする請求項１４に記載のマルチディスク。
【発明の詳細な説明】
【技術分野】
【０００１】
本発明は、生化学検査と、血液検査又は免疫検査とを１つのフラットホームで同時に行うマルチシステムに関し、より詳しくは、遠心力を基にしたディスクを用いて、血液成分に対する反応物質の反応可否の評価を迅速で且つ容易に行うことができ、血液の血清内の酵素反応を用いた生化学的測定検査と、赤血球や白血球の数を毛細管方法と染色法などを用いて係数する血液検査と、血清の抗原抗体反応を測定して、癌やウイルスを診断し、検査を行う免疫検査とを、１つのフラットホームで測定及び検査可能に構成された生化学検査と、血液検査又は免疫検査とを同時に行うマルチシステム、及びこれに用いられるマルチディスクに関する。
【背景技術】
【０００２】
血液は、体内の全ての臓器の細胞に、酸素、栄養分、ホルモン、そして、栄養物質を供給する重要な役割を果たすだけでなく、感染に対する防御器官でありながら、毒素と老廃物を運搬する機能も行うため、体内で起きる変化は、血液成分に変化を与えることになる。そこで、疾病の診断、治療、及び予後を正しく判定するためには、血液の各種の成分を検査しなければならない。
【０００３】
このように血液を検査するため、採血した血液の形態学的、生化学的、免疫血清学的な検査と共に、特殊の化学検査を行うことになる。
【０００４】
ここで、血液の形態学的な検査は、全血を用いて、血色素、 ヘマトクリット(血球容積)、赤血球、白血球、血小板の数、白血球の細胞百分率などを測定する血球検査及び血液塗抹検査(血液をスライドに薄く塗って染色して、血球の形状、数などを直接に顕微鏡で観察)を行い、出血時間、凝固時間、毛細血管抵抗などを検査して、出血傾向の血液疾患感染症などの診断と、各種の疾患の経過と予後判定を行うことになるが、ここで、電気化学的な方法と染色法などを用いて、測定を行うことになる。
【０００５】
また、生化学的な方法や免疫学的な方法、及び特殊の化学方法は、まず、遠心分離などを用いて、血液内の血球を除去し、上層液(血清又は血漿)として検査を行う。
【０００６】
一般に、生化学的な方法は、主に、それぞれの指示薬に血清(又は血漿)を反応させた後、これを特定波長の吸光度を測定して、濃度に換算する方法であり、使用指示薬の種類によって、湿式と乾式とに分けられる。
【０００７】
湿式は、多く使用する方法であって、指示薬が液状となっていて、血漿(又は血清)と反応を起こす。乾式は、より簡便に測定するために、薄いフィルムに指示薬を固化してコーティングした後、これを血清(又は血漿)と反応を起こして、吸光度を測定している。
【０００８】
また、免疫血清検査は、各種の細菌及びウイルスに対する抗原、抗体検査を行うことであって、Ｂ、Ｃ型肝炎、エイズ、梅毒などを診断し、また、リューマチ疾患の診断と共に、各種の免疫細胞の機能も、血液よりこれらの免疫細胞を分離して行い、その他のアレルギーの各種の原因となる物質に対する血液内の特定の免疫グロブリンを測定することで、アレルギーの原因を明かすことになる。
【０００９】
殆どの免疫血清検査の場合は、抗原抗体免疫反応を用いて、通常、検査しようとする抗体(抗原)に標識子をレベリングし、該当抗体(抗原)の量を測定する方法を採択している。
【００１０】
近年、このような血液を用いた検査と共に、多量の検体検査を行うための技術開発が多く行われており、ＤＮＡ ｃｈｉｐやｌａｂ−ｏｎ−ｃｈｉｐなどの方法がその一例である。これらの方法は、主に、免疫血清検査と遺伝子検査を同時に行うための方法である。
【００１１】
これと共に、血球の数を係数するための形態学的な検査、生化学的な検査、免疫血清検査、遺伝子検査を、同時に１つの機器で全て行える検査機器及びキットの開発が切実に求められている状況である。
【先行技術文献】
【特許文献】
【００１２】
【特許文献１】大韓民国登録特許公報 第１０−０７４８１８１号
【特許文献２】大韓民国登録特許公報 第１０−１６０８５９８号
【発明の概要】
【発明が解決しようとする課題】
【００１３】
本発明は、上述した問題点を解決するためになされたものであって、本発明の目的は、遠心力を基にしたディスクを用いて、血液成分に対する反応物質の反応可否の評価を迅速で且つ容易に行うことができ、生化学検査と、血液検査と、免疫検査とを同時に１つのフラットホームで全て検査可能に行うマルチシステムを提供することである。
【課題を解決するための手段】
【００１４】
上述した問題を解決するため、本発明による生化学検査と血液検査及び免疫検査とを同時に行うマルチシステムは、生化学検査部１００と血液検査部２００とが回転中心を基準に、扇状に画成して設けられるマルチディスク１を含むことを特徴とする。
【００１５】
更に、前記マルチディスク１は、免疫検査部３００を含み、これによって免疫検査も同時に行う。
【００１６】
前記マルチディスク１は、上部カバー１０と、前記上部カバー１０に着脱自在に結合されるか、又は一体に形成される反応チャンバプレート２０とを備える。
【００１７】
前記マルチディスク１の上部カバー１０には、回転中心と隣接する位置に、第１の血液投入口１１と第２の血液投入口１２とが設けられ、枠側には、複数の試薬投入口１３が弧状に分布して形成され、前記反応チャンバプレート２０は、血清の生化学成分の濃度を測定して、生体機能を診断する生化学検査部１００と、血液サンプルを分離して、赤血球や白血球の数及び変形を測定検査する血液検査部２００と、血清の抗原抗体反応を測定して、癌やウイルスを診断し、検査を行う免疫検査部３００とを備える。
【００１８】
前記マルチディスク１の生化学検査部１００は、血液受付チャンバ１１０と、前記血液受付チャンバ１１０に連通する血液フィルターチャンバ１２０と、前記血液フィルターチャンバ１２０と弧状の分配流路で連通する複数の血清分配チャンバ１３０と、前記複数の血清分配チャンバ１３０に連通する複数の試薬反応チャンバ１４０とを備える。
【００１９】
前記血液受付チャンバ１１０は、回転中心と隣接する位置に、回転軸を中心に弧状に形成され、供給された血液サンプルを受付け、前記血液フィルターチャンバ１２０は、回転中心の回転軸を中心に弧状に形成され、内部にはフィルターが設けられて、移送された血液サンプルをフィルタリングし、前記複数の血清分配チャンバ１３０は、各血清分配チャンバ１３０の入口が前記弧状の分配流路に開いており、一定量ずつフィルタリングされた血液成分を分配され、各血清分配チャンバ１３０の出口は、対応する各試薬反応チャンバ１４０と流路で連通し、前記複数の試薬反応チャンバ１４０は、複数のチャンバが枠側に分布して形成され、前記血清分配チャンバ１３０より供給された血液成分と試薬が反応を起こすように設けられる。
【００２０】
前記血液受付チャンバ１１０と前記血液フィルターチャンバ１２０を連結してくれる流路は、回転遠心力で血液の移送が容易であるように、各チャンバの回転中心から最外郭のライン上に形成される。
【００２１】
前記血清分配チャンバ１３０と前記試薬反応チャンバ１４０の連結流路は、回転遠心力で血液の移送が容易であるように、回転方向に対して所定の角度をなすように形成される。
【００２２】
前記血液検査部２００は、血液サンプルが充填されたチューブを据置く毛細管据置きチャンバ２１０と、血液サンプルに染色試薬処理して５つの白血球を染色し、白血球を鑑別、係数する染色チャンバ２２０とを備える。
【００２３】
前記免疫検査部３００は、別の投入口を介して投入された血液サンプルを遠心分離し、分離された血清だけが供給されるか、又は前記生化学検査部１００と分配流路で連通して、フィルタリング済みの血液成分である血清だけを供給される。
【００２４】
前記マルチシステムは、更に、前記マルチディスク１に光を照射する照明部２と、前記マルチディスク１を撮影するカメラ部３と、前記カメラ部３より伝送された資料をディスプレイするディスプレイユニット４と、ＤＢ部５とを含む。
【００２５】
前記照明部２は、光源２ａと光フィルター２ｂとからなり、単色光を前記マルチディスク１に照射し、前記カメラ部３は、前記マルチディスク１の上部に配置され、前記マルチディスク１の反応後の吸光度を測定するか、イメージを撮像して、前記ディスプレイユニット４に転送し、前記ディスプレイユニット４は、前記カメラ部３より伝送された吸光度及びイメージ資料をディスプレイし、前記ＤＢ部５は、前記カメラ部３及び前記ディスプレイユニット４に連動して、測定された資料を格納し、格納された基準資料と比較した資料を格納する。
【００２６】
また、本発明によるマルチディスクは、血清の生化学成分の濃度を測定して、生体機能を診断する生化学検査部１００と、血液サンプルを分離して、赤血球や白血球の数及び変形を測定検査する血液検査部２００と、血清の抗原抗体反応を測定して、癌やウイルスを診断して検査を行う免疫検査部３００とが、回転中心を基準に、扇状に画成して設けられることを特徴とする。
【００２７】
前記マルチディスクは、回転中心と隣接する位置に、第１の血液投入口１１と第２の血液投入口１２とが設けられ、枠側には、複数の試薬投入口１３が弧状に分布して形成される上部カバー１０と、前記上部カバー１０と結合し、血清の生化学成分の濃度を測定して、生体機能を診断する生化学検査部１００、血液サンプルを分離して、赤血球や白血球の数字及び変形を測定検査する血液検査部２００、及び血清の抗原抗体反応を測定して、癌やウイルスを診断し、検査を行う免疫検査部３００を備える反応チャンバプレート２０とを含む。
【００２８】
前記マルチディスクの生化学検査部１００は、前記第１の血液投入口１１に対応する位置に設けられる血液受付チャンバ１１０と、前記血液受付チャンバ１１０に連通する血液フィルターチャンバ１２０と、前記血液フィルターチャンバ１２０と弧状の分配流路で連通する複数の血清分配チャンバ１３０と、前記複数の血清分配チャンバ１３０に連通し、前記試薬投入口１３に対応する位置に設けられる複数の試薬反応チャンバ１４０とを備え、前記マルチディスクの血液検査部２００は、血液サンプルが充填されたチューブを据置く毛細管据置きチャンバ２１０と、血液サンプルに染色試薬処理して５つの白血球を染色し、白血球を鑑別、係数する染色チャンバ２２０とを備え、前記マルチディスクの免疫検査部３００は、別の投入口を介して投入された血液サンプルを遠心分離し、分離された血清だけが供給されるか、又は前記生化学検査部１００と分配流路で連通して、フィルタリング済みの血液成分である血清だけを供給される。
【発明の効果】
【００２９】
本発明による生化学検査と、血液検査と、免疫検査とを同時に行うマルチシステム、及びこれに用いられるマルチディスクによれば、血清の生化学成分の濃度を測定して、生体機能を診断する生化学検査、血液サンプルを分離して、赤血球や白血球の数及び変形を測定検査する血液検査と、血清の抗原抗体反応を測定して、癌やウイルスを診断し、検査を行う免疫検査とを同時に、１つの機器で全て検査することができる。
【図面の簡単な説明】
【００３０】
【図１】図１は、本発明の一実施例による生化学検査と、血液検査と、免疫検査とを行うマルチシステムの全体構成を概略に示す図である。
【図２】図２は、図１におけるマルチディスクを示す拡大図である。
【図３】図３は、図２の分解図である。
【図４】図４は、本発明の他の実施例による生化学検査と血液検査だけを行うマルチディスクを示す図である。
【図５】図５は、本発明の一実施例による生化学検査と、血液検査と、免疫検査とを行うマルチシステムに用いられるマルチディスクの結合関係を概略に示す図である。
【発明を実施するための形態】
【００３１】
以下、添付の図面を参照して、本発明における生化学検査と血液検査とを同時に行うマルチシステムの好適な実施例について、より詳しく説明する。
【００３２】
図１は、本発明の一実施例による生化学検査と、血液検査と、免疫検査とを行うマルチシステムの全体構成を概略に示す図、図２は、図１におけるマルチディスクを示す拡大図、図３は、図２の分解図、図４は、本発明の他の実施例による生化学検査と血液検査だけを行うマルチディスクを示す図、図５は、本発明の一実施例による生化学検査と、血液検査と、免疫検査とを行うマルチシステムに用いられるマルチディスクの結合関係を概略に示す図である。
【００３３】
図１乃至図５に示しているように、本発明による生化学検査と、血液検査及び／又は免疫検査とを同時に行うマルチシステムは、マルチディスク１と、照明部２と、カメラ部３と、ディスプレイユニット４と、ＤＢ部５とを含む。
【００３４】
ここで、マルチディスク１は、生化学検査部１００と血液検査部２００、又は免疫検査部３００が回転中心を基準に、扇状に画成されるものであり、回転中心(Ｃ)を中心に、回転制御手段(図示せず)で回転し、上部カバー１０と反応チャンバプレート２０とからなる。
【００３５】
上部カバー１０は、回転中心(Ｃ)を有する円板状のプレートであり、反応チャンバプレート２０の上部に着脱式で結合されるか、反応チャンバプレート２０と一体に形成される。上部カバー１０には、第１の血液投入口１１と第２の血液投入口１２が、回転中心と隣接した一定の位置にカバーを貫通するように設けられ、枠側には、カバーを貫通するように設けられた複数の試薬投入口１３が弧状に分布して形成されている。 
【００３６】
第１の血液投入口１１は、反応チャンバプレート２０の血液受付チャンバ１１０に血液サンプル(血栓)を供給するように投入する孔であって、反応チャンバプレート２０と結合されるとき、血液受付チャンバ１１０に対応する位置に形成される。
【００３７】
また、第２の血液投入口１２は、反応チャンバプレート２０の染色チャンバ２２０に血液サンプル(全血)を投入する孔であって、反応チャンバプレート２０と結合されるとき、染色チャンバ２２０に対応する位置に形成される。
【００３８】
また、複数の試薬投入口１３はそれぞれ、反応チャンバプレート２０の複数からなる試薬反応チャンバ１４０に試薬を投入する孔であって、反応チャンバプレート２０と結合されるとき、各試薬反応チャンバ１４０に対応する位置に形成される。
【００３９】
反応チャンバプレート２０は、回転中心(Ｃ)を有し、所定寸法の深さを有した上部が開いた円板容器状のプレートであって、血清の生化学成分の濃度を測定して生体機能を診断する生化学検査部１００と、血液サンプルを分離して、赤血球や白血球の数及び変形を測定検査する血液検査部２００と、血清の抗原抗体反応を測定して、癌やウイルスを診断し、検査を行う免疫検査部３００とが、回転中心(Ｃ)を基準に扇状に画成しており、また、上部カバー１０の下部に着脱式で結合されるか、上部カバー１０と一体に形成される。 
【００４０】
ここで、反応チャンバプレート２０は、図４に示しているように、生化学検査部１００及び血液検査部２００だけが、回転中心(Ｃ)を基準に扇状に画成して設けることもできる。
【００４１】
生化学検査部１００は、内部に血液サンプル(全血)が投入され、血液のうち、血清成分だけをフィルタリングした後、これを各試薬と反応させ、反応後に吸光度を測定して濃度値を算出する生化学検査を行うためのものであって、血液受付チャンバ１１０と、血液フィルターチャンバ１２０と、血清分配チャンバ１３０と、試薬反応チャンバ１４０とを含む。
【００４２】
生化学検査は、血清内の化学成分と検査試薬を反応させると(１０分程度)、発色反応が起きるが、この時、吸光度を測定し、Ｂｅｅｒ−Ｌａｍｂｅｒｔ法則を用いて、これを濃度に換算し、生体機能(肝機能、心臓機能、腎臓機能など)を正常値と比較して診断することである。
【００４３】
血液受付チャンバ１１０は、回転中心(Ｃ)に隣接する一定の位置であり、且つ、上部カバー１０の第１の血液投入口１１に対応する位置に設けられ、投入口を介して供給される血液サンプルを受け付ける。ここで、血液受付チャンバ１１０は、回転中心の回転軸を中心に弧状に設けられるのが望ましく、血液フィルターチャンバ１２０とは、流路を通じて、連通している。
【００４４】
血液フィルターチャンバ１２０は、移送された血液サンプルをフィルタリングして、必要な血液成分を分離するものであり、回転中心の回転軸を中心に弧状に設けられ、チャンバ内部にはフィルターが設けられていて、血液より血清だけを分離させる。血液フィルターチャンバ１２０の入口側は、血液受付チャンバ１１０と流路で連通しており、出口側は、回転中心の外側に弧状に設けられた分配流路と連結するように形成されている。
【００４５】
この時、血液受付チャンバ１１０と血液フィルターチャンバ１２０を連結してくれる流路は、回転遠心力によって血液の移送が容易に行われるように、各チャンバの回転中心から最外郭のライン上に形成されるのが望ましい。
【００４６】
血清分配チャンバ１３０は、血液フィルターチャンバ１２０よりフィルタリングされた血液成分である血清を、一定量ずつ分配される複数のチャンバであって、各血清分配チャンバ１３０の入口は、血液フィルターチャンバ１２０の出口側に連通している弧状の分配流路に開かれており、各血清分配チャンバ１３０の出口は、対応する各試薬反応チャンバ１４０と流路で連通されている。
【００４７】
試薬反応チャンバ１４０は、供給された血液成分と試薬が反応を起こすチャンバであって、複数のチャンバが弧状に分布して設けられ、上部カバー１０の試薬投入口１３に対応する枠側位置に形成されて、血清分配チャンバ１３０から移送されるフィルタリングされた血液成分である血清を供給され、試薬投入口１３を介して投入される試薬を供給される。この時、各試薬反応チャンバ１４０には、測定しようとする検査項目に適した乾式指示薬を分注した後、ドライして固定することができる。
【００４８】
この時、血清分配チャンバ１３０と試薬反応チャンバ１４０との連結流路は、回転遠心力により血液の移送が容易であるように、回転方向に対して所定の角度をなすように形成するのが望ましい。このような構造により、マルチディスク１の回転時、血清分配チャンバ１３０の血液成分が、試薬反応チャンバ１４０へ容易に移送される。
【００４９】
この時、マルチディスク１を所定時間の間、所定のｒｐｍで回転するようになると、血液受付チャンバ１１０に供給された血液サンプルは、遠心力により血液フィルターチャンバ１２０へ移送され、血液フィルターチャンバ１２０でフィルタリングされた血液成分は、遠心力で血清分配チャンバ１３０に分配され、各血清分配チャンバ１３０より各試薬反応チャンバ１４０へ移送される。
【００５０】
血液検査部２００は、血液サンプルを分離して、赤血球や白血球などの数及び変形程度を測定検査するためのものであり、毛細管据置きチャンバ２１０と、染色チャンバ２２０とを含む。
【００５１】
血液検査は、患者の全般的な健康状態に関する情報を得るための目的に、診断検査において最も広く用いられる検査であって、血流に沿って循環する白血球、赤血球、血小板など、それぞれの細胞の数が非定常的に高い又は低いと、疾病があるということを表す。 
【００５２】
毛細管据置きチャンバ２１０は、血液サンプルが充填された毛細管チューブ(図示せず)を据え置くものであって、据え置かれた血液サンプルが充填された毛細管チューブは、回転するマルチディスク１の遠心力で遠心分離されて、チューブの下部より、赤血球(RBC)、白血球(WBC)、血小板(Platelet)、血漿に分画される。 
【００５３】
この時、マルチディスク１を１０分間、４,０００ｒｐｍで回転させるか、１０,０００ｒｐｍで５分間回転させるようになると、血液サンプル内の各成分が、遠心力により分画して区分される。
【００５４】
分離されたイメージを撮像して、区間別長さを測定し、容積量で全体％を算出することによって、赤血球、白血球、血小板などの血球係数を計算する。通常、健常者の血液サンプル１００％を基準に、赤血球は、約４５％、白血球と血小板は、約１％未満、血漿は、約５５％である。
【００５５】
本発明では、毛細管据置きチャンバ２１０を５つに区画しているが、これに限定されるものではなく、据え置かれる毛細管チューブの寸法によって、チャンバ数は変形可能である。
【００５６】
染色チャンバ２２０は、供給される血液サンプルに染色試薬処理して、５種の血球を染色し、染色された撮像イメージから、白血球を鑑別、係数できるようにするためのチャンバであって、上部カバー１０の第２の血液投入口１２と対応する位置に設けられ、第２の血液投入口１２を介して投入される血液サンプル(全血)を供給される。染色液は、予め、チャンバ内に設けるか、又は第２の血液投入口１２を介して供給されることができる。
【００５７】
通常、５種の白血球(WBC)は、リンパ球(Lymphocyte)、単核球(Monocyte)、好中性白血球(Neutrophil)、好酸性白血球(Eosinophil)、好塩基性白血球(Basophil)であり、染色は、主に、ギムザ染色法(Giemsa stain)を用いて染色されるが、ギムザ染色法に限定されるものではない。
【００５８】
ギムザ溶液は、色素として、Azure II-Eosin azure II-eosinとAzure IIを含み、メタノールで固定した後に、リン酸緩衝液で希釈したギムザ溶液で染色するか、メタノール固定も不要なライト(Wright)-ギムザ溶液で染色する。
【００５９】
ギムザ溶液で染色することにおいて、通常の赤血球は、桃色、血小板は、薄い桃色、リンパ球細胞質は、空色、単核白血球細胞質は、薄い青色、白血球核染色質は、紫紅色を帯びる。
【００６０】
免疫検査部３００は、血清の抗原抗体反応を測定して、癌やウイルスを診断し、検査を行うものであって、底面に検査しようとするＤＮＡ断片又は抗体(抗原)に標識子をレベリングし、スポッティングして固定し、該当抗体(抗原)の量を測定する免疫検査を行う。 
【００６１】
免疫検査部３００には、別の投入口を介して投入された血液サンプルを遠心分離し、分離された血清だけが供給される構造(図示せず)を設けるか、又は生化学検査部１００に設けられた分配流路に連通して、フィルタリング済みの血液成分である血清だけを供給される構造を設けることができる。
【００６２】
本発明によるマルチディスク１は、上部カバー１０と反応チャンバプレート２０とを全て透明材質で形成して、カメラ部３を通じて、反応後、イメージ撮像や吸光度の測定を容易にすることができる。
【００６３】
照明部２は、光源２ａと光フィルター２ｂとを含み、モノクロメーターのような光フィルターを通じて、光源から必要な単色光をマルチディスク１に照射されるようにする。 
【００６４】
カメラ部３は、高解像度のＣＣＤカメラ又はＣＭＯＳカメラであって、マルチディスク１の上部に配置されて、マルチディスクの反応後の吸光度を測定するか、イメージを撮像して、ディスプレイユニット４に転送する。 
【００６５】
この時、吸光度の測定のために、分光光度計のような吸光度測定ユニットを、更に設けることができる。
【００６６】
発色反応が起きた測定された吸光度を用いて、血清成分の濃度値を算出することができ、撮像されたイメージから、血球の含量、白血球の鑑別、及び係数などが可能となる。 
【００６７】
ここで、カメラ部には、光学及び／又は蛍光レンズを更に設けて、超微細構造を有した対象体、又は蛍光色素と結合した対象体に対する精度良い測定を可能にする。
【００６８】
ディスプレイユニット４は、カメラ部３より伝送された吸光度、及び撮像されたイメージを表示する装置であり、ＤＢ部５は、カメラ部３とディスプレイユニット４に連動して測定された資料を格納し、格納された基準資料と比較した資料を格納し、これをディスプレイユニット４に提供する装置である。
【００６９】
このように構成された生化学検査と、血液検査と、免疫検査とを同時に行うマルチシステムにおいて、生化学検査と血液検査、生化学検査と血液検査と免疫検査とが選択的に同時に行うことができるようになる。
【００７０】
本発明は、図面を参照して実施例を参考に説明したが、これは、例示に過ぎず、当該分野における通常の知識を有する者であれば、様々な変形及び均等な実施例が可能であるということを理解するだろう。そこで、本発明の真正な技術的な保護範囲は、添付の特許請求の範囲の技術的思想によって、決められるべきである。
【符号の説明】
【００７１】
１: マルチディスク
２: 照明部
３: カメラ部
４: ディスプレイユニット
５: ＤＢ部
１０: 上部カバー
１１: 第１の血液投入口
１２: 第２の血液投入口
１３: 試薬投入口
２０: 反応チャンバプレート
Ｃ: 回転中心
１００: 生化学検査部
１１０: 血液受付チャンバ
１２０: 血液フィルターチャンバ
１３０: 血清分配チャンバ
１４０: 試薬反応チャンバ
２００: 血液検査部
２１０: 毛細管据置きチャンバ
２２０: 染色チャンバ
３００: 免疫検査部
【図１】
2020169971.tif 000003
【図２】
2020169971.tif 000004
【図３】
2020169971.tif 000005
【図４】
2020169971.tif 000006
【図５】
2020169971.tif 000007